【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】
露光動作時に露光スリットを形成するための先スリット形成羽根（１０ａ）と該露光スリットを形成しない先被い羽根（１０ｂ〜１０ｄ）とによって構成され、露光開始前においてアパーチャ（１ａ）を被う先幕（１０）を有し、
前記先幕（１０）がアパーチャ（１ａ）を被った状態では、前記先スリット形成羽根（１０ａ）以外の羽根（１０ｂ〜１０ｄ）が、前記アパーチャ（１ａ）を被うことを特徴とするフォーカルプレーンシャッタ羽根装置。
【請求項２】
カメラ本体のミラーボックス底部に配置されたオートフォーカス装置（９）と、該カメラ本体に装填されたフィルムが走行するフィルム通路とを具備し、
該オートフォーカス装置（９）が配置されているカメラ本体底部から、カメラ本体上部に向かって前記先幕（１０）が露光のため走行し、
露光開始前の状態では、前記先スリット形成羽根（１０ａ）は、光軸方向（Ａ方向）において前記オートフォーカス装置（９）と前記フィルム通路（２９）との間に配置され、カメラ本体の高さ方向（Ｂ方向）において前記オートフォーカス装置（９）の上面（Ｄ面）よりカメラ本体底部寄りに存在していることを特徴とする請求項１に記載のフォーカルプレーンシャッタ羽根装置。
【請求項３】
露光動作時に露光スリットを形成するための先スリット形成羽根（１０ａ）と該露光スリットを形成しない先被い羽根（１０ｂ〜１０ｄ）とによって構成され、露光開始前においてアパーチャ（１ａ）を被う先幕（１０）と、
露光動作時に露光スリットを形成するための後スリット形成羽根（１１ａ）と該露光スリットを形成しない後被い羽根（１１ｂ〜１１ｃ）とによって構成され、露光開始後において前記アパーチャ（１ａ）を被う後幕（１１）を具備し、
前記後幕（１１）を構成する羽根の枚数が、前記先幕（１０）とを構成する羽根の枚数よりも少ないことを特徴とするフォーカルプレーンシャッタ羽根装置。
【請求項４】
前記後スリット形成羽根（１１ａ）と前記先スリット形成羽根（１０ａ）、および前記先被い羽根（１０ｂ〜１０ｄ）と前記後被い羽根（１１ｂ〜１１ｃ）とが、それぞれ同一形状であることを特徴とする請求項３に記載のフォーカルプレーンシャッタ羽根装置。
【請求項５】
前記先被い羽根（１０ｂ〜１０ｄ）の中の最も移動量の少ない羽根に対応する前記後被い羽根（１１ｄ）を削減したことを特徴とする請求項３に記載のフォーカルプレーンシャッタ羽根装置。
【請求項６】
前記後スリット形成羽根（１１ａ）のスリットエッジが、光軸方向（Ａ方向）においてはオートフォーカス装置（９）と該カメラに装填されたフィルムが走行するフィルム通路（２９）との間に配置され、カメラ本体の高さ方向（Ｂ方向）においてはオートフォーカス装置（９）の上面（Ｄ面）よりカメラ本体底部寄りに存在していることを特徴とする請求項３に記載のフォーカルプレーンシャッタ羽根装置。
【請求項７】
露光動作時に露光スリットを形成するための先スリット形成羽根（１０ａ）と該露光スリットを形成しない先被い羽根（１０ｂ〜１０ｄ）とによって構成され、露光開始前においてアパーチャ（１ａ）を被う先幕（１０）と、
前記先幕（１０）を回転駆動する先駆動アーム（１６）および先従動アーム（１７）と、
前記先駆動アーム（１６）の回転中心となる第１回転軸（１２）と、
前記先従動アーム（１７）の回転中心となる第２回転軸（１３）とを更に具備し、
前記アパーチャ（１ａ）のカメラ本体の高さ方向（Ｂ方向）の中心（図２の一点鎖線Ｅ）は、前記第１回転軸（１２）と前記第２回転軸（１３）との中間に位置することを特徴とするフォーカルプレーンシャッタ羽根装置。
【請求項８】
露光動作時に露光スリットを形成するための後スリット形成羽根（１１ａ）と該露光スリットを形成しない後被い羽根（１１ｂ〜１１ｃ）とによって構成され、露光開始後においてアパーチャ（１ａ）を被う後幕（１０）と、
前記後幕（１１）を回転駆動する後駆動アーム（２２）と、
前記後駆動アーム（２２）の回転中心となる第３回転軸（１５）とを有し、
カメラ本体の高さ方向（Ｂ方向）における前記アパーチャ（１ａ）の下縁（１ｂ）の延長線（図２の鎖線Ｆ）より前記第３回転軸（１５）はカメラ本体底部側に外れる位置関係になっていることを特徴とするフォーカルプレーンシャッタ羽根装置。
【請求項９】
前記先幕（１０）がアパーチャ（１ａ）を被った状態では、前記先スリット形成羽根（１０ａ）以外の羽根（１０ｂ〜１０ｄ）が、前記アパーチャ（１ａ）を被うことを特徴とする請求項３〜７のいずれかに記載のフォーカルプレーンシャッタ羽根装置。
【手続補正２】
【補正対象書類名】明細書
【補正対象項目名】０００７
【補正方法】変更
【補正の内容】
【０００７】
【課題を解決するための手段】
この目的を達成するために、請求項１に記載の発明は、露光動作時に露光スリットを形成するための先スリット形成羽根（１０ａ）と露光スリットを形成しない先被い羽根（１０ｂ〜１０ｄ）とによって構成され、露光開始前においてアパーチャ（１ａ）を被う先幕（１０）を有し、先幕（１０）がアパーチャ（１ａ）を被った状態では、先スリット形成羽根（１０ａ）以外の羽根（１０ｂ〜１０ｄ）が、アパーチャ（１ａ）を被うことを特徴とする。


【手続補正３】
【補正対象書類名】明細書
【補正対象項目名】０００８
【補正方法】変更
【補正の内容】
【０００８】
請求項２に記載の発明は、請求項１において、カメラ本体のミラーボックス底部に配置されたオートフォーカス装置（９）と、カメラ本体に装填されたフィルムが走行するフィルム通路とを具備し、オートフォーカス装置（９）が配置されているカメラ本体底部から、カメラ本体上部に向かって先幕（１０）が露光のため走行し、露光開始前の状態では、先スリット形成羽根（１０ａ）は、光軸方向（Ａ方向）においてオートフォーカス装置（９）とフィルム通路（２９）との間に配置され、カメラ本体の高さ方向（Ｂ方向）においてオートフォーカス装置（９）の上面（Ｄ面）よりカメラ本体底部寄りに存在していることを特徴とする。


【手続補正４】
【補正対象書類名】明細書
【補正対象項目名】０００９
【補正方法】変更
【補正の内容】
【０００９】
請求項３に記載の発明は、露光動作時に露光スリットを形成するための先スリット形成羽根（１０ａ）と露光スリットを形成しない先被い羽根（１０ｂ〜１０ｄ）とによって構成され、露光開始前においてアパーチャ（１ａ）を被う先幕（１０）と、露光動作時に露光スリットを形成するための後スリット形成羽根（１１ａ）と露光スリットを形成しない後被い羽根（１１ｂ〜１１ｃ）とによって構成され、露光開始後においてアパーチャ（１ａ）を被う後幕（１１）を具備し、後幕（１１）を構成する羽根の枚数が、先幕（１０）とを構成する羽根の枚数よりも少ないことを特徴とする。


【手続補正５】
【補正対象書類名】明細書
【補正対象項目名】００１０
【補正方法】変更
【補正の内容】
【００１０】
請求項４に記載の発明は、請求項３において、後スリット形成羽根（１１ａ）と先スリット形成羽根（１０ａ）、および先被い羽根（１０ｂ〜１０ｄ）と後被い羽根（１１ｂ〜１１ｃ）とが、それぞれ同一形状であることを特徴とする。


【手続補正６】
【補正対象書類名】明細書
【補正対象項目名】００１１
【補正方法】変更
【補正の内容】
【００１１】
請求項５に記載の発明は、請求項３において、先被い羽根（１０ｂ〜１０ｄ）の中の最も移動量の少ない羽根に対応する後被い羽根（１１ｄ）を削減したことを特徴とする。


【手続補正７】
【補正対象書類名】明細書
【補正対象項目名】００１２
【補正方法】変更
【補正の内容】
【００１２】
請求項６に記載の発明は、請求項３において、後スリット形成羽根（１１ａ）のスリットエッジが、光軸方向（Ａ方向）においてはオートフォーカス装置（９）とカメラに装填されたフィルムが走行するフィルム通路（２９）との間に配置され、カメラ本体の高さ方向（Ｂ方向）においてはオートフォーカス装置（９）の上面（Ｄ面）よりカメラ本体底部寄りに存在していることを特徴とする。


【手続補正８】
【補正対象書類名】明細書
【補正対象項目名】００１３
【補正方法】変更
【補正の内容】
【００１３】
請求項７に記載の発明は、露光動作時に露光スリットを形成するための先スリット形成羽根（１０ａ）と露光スリットを形成しない先被い羽根（１０ｂ〜１０ｄ）とによって構成され、露光開始前においてアパーチャ（１ａ）を被う先幕（１０）と、先幕（１０）を回転駆動する先駆動アーム（１６）および先従動アーム（１７）と、先駆動アーム（１６）の回転中心となる第１回転軸（１２）と、先従動アーム（１７）の回転中心となる第２回転軸（１３）とを更に具備し、アパーチャ（１ａ）のカメラ本体の高さ方向（Ｂ方向）の中心（図２の一点鎖線Ｅ）は、第１回転軸（１２）と第２回転軸（１３）との中間に位置することを特徴とする。


【手続補正９】
【補正対象書類名】明細書
【補正対象項目名】００１４
【補正方法】変更
【補正の内容】
【００１４】
請求項８に記載の発明は、露光動作時に露光スリットを形成するための後スリット形成羽根（１１ａ）と露光スリットを形成しない後被い羽根（１１ｂ〜１１ｃ）とによって構成され、露光開始後においてアパーチャ（１ａ）を被う後幕（１０）と、後幕（１１）を回転駆動する後駆動アーム（２２）と、後駆動アーム（２２）の回転中心となる第３回転軸（１５）とを有し、カメラ本体の高さ方向（Ｂ方向）におけるアパーチャ（１ａ）の下縁（１ｂ）の延長線（図２の鎖線Ｆ）より第３回転軸（１５）はカメラ本体底部側に外れる位置関係になっていることを特徴とする。
請求項９に記載の発明は、請求項３〜７のいずれかにおいて、先幕（１０）がアパーチャ（１ａ）を被った状態では、先スリット形成羽根（１０ａ）以外の羽根（１０ｂ〜１０ｄ）が、アパーチャ（１ａ）を被うことを特徴とする。


【手続補正１０】
【補正対象書類名】明細書
【補正対象項目名】０００４
【補正方法】変更
【補正の内容】
【０００４】
また、ばね力を強くすることなく先幕速および後幕速（後幕がアパーチャを閉じ始めてから、アパーチャを全閉するまでの時間）を速くするために、先幕および後幕の材料に炭素繊維複合材（ＣＦＲＰ）等の特殊材料を使用してシャッタ幕を軽量化しようとすると、このような特殊材料は高価であるためにコストアップになるという欠点が残る。


【手続補正１１】
【補正対象書類名】明細書
【補正対象項目名】０００５
【補正方法】変更
【補正の内容】
【０００５】
【発明が解決しようとする課題】
オートフォーカス装置を有するカメラでは、カメラ本体のミラーボックス底部にオートフォーカス装置が配置される。先幕および後幕は、ファインダ部分が配置されているカメラ本体上部から、オートフォーカス装置が配置されているカメラ本体底部に向かって露光のために走行する。このようなフォーカルプレーンシャッタにおいては、図７に示すように、ファインダ１０３ａとアパーチャ１０１の上縁１０１ａとの間に、アパーチャ１０１から退避したシャッタ羽根１０２、１０３、１０４および１０５が重畳されて収容される。従って、シャッタ羽根１０２の助走距離Ｄｆを長くしようとすると、上縁１０１ａとファインダ１０３ａとの距離Ｄｈを長くしなければならず、従ってカメラ本体の高さを増加させなければならず、カメラが大型化するという問題が生ずる。


【手続補正１２】
【補正対象書類名】明細書
【補正対象項目名】００２３
【補正方法】変更
【補正の内容】
【００２３】
次に本発明の動作を説明する。図１、図２および図３の状態から、先駆動アーム１６に設けられた長孔１６ａにはめ合わされた軸２７を、公知の方法によって軸１２の回りに回転駆動することによって、図１および図２のＣ方向に先羽根１０ａ〜１０ｄが動かされる。これによって露光動作が開始される。先スリット形成羽根１０ａが助走距離Ｄｆだけ走行すると、アパーチャ１ａを開き始める。この後、先羽根１０ａ〜１０ｄは、図４の位置まで走行すると、公知の方法によって停止する。先羽根１０ａ〜１０ｄが走行を開始してから所定時間経過した後に、後駆動アーム２２に設けられた長孔２２ａにはめ合わされた軸２８を、公知の方法によって軸１５の回りに回転駆動することによって、図１および図２のＣ方向に後羽根１１ａ〜１１ｃが動かされる。これによって露光終了動作が開始される。後スリット形成羽根１１ａが助走距離Ｄｒ（図３参照）だけ走行すると、アパーチャ１ａを閉じ始める。この後、後羽根１１ａ〜１１ｃは、図５の位置まで走行すると公知の方法によって停止する。


【手続補正１３】
【補正対象書類名】図面
【補正対象項目名】図７
【補正方法】変更
【補正の内容】
【図７】
1998254023.tif 000001